(57)【要約】【課題】光ディスクを装置に挿入後、データの記録もしくは再生を開始するまでの時間を短縮可能な光ディスク装置を提供することを目的とする。【解決手段】データを管理する管理情報が記録される管理情報領域を有する光ディスク１にレーザーを照射してデータを記録又は／及び再生する光ピックアップ５と、前記光ピックアップ５を光ディスク１の半径方向へ駆動する駆動手段６，７と、前記光ディスク１を装置外から装置内、あるいは装置内から装置外へ搬送する搬送手段２を有し、前記光ディスク１を装置外から装置内に搬送している間に平行して前記光ピックアップ５をディスク管理情報領域付近まで移動する。【選択図】図１
2006216124.tif 000002
【特許請求の範囲】
【請求項１】
データを管理する管理情報が記録される管理情報領域を有する光ディスクに、レーザーを照射してデータを記録又は／及び再生する光ピックアップと、
前記光ピックアップを前記光ディスクの半径方向へ駆動する駆動手段と、
前記光ディスクを装置外から装置内、あるいは装置内から装置外へ搬送する搬送手段と、
前記光ディスクを前記搬送手段にて装置外から装置内に搬送している間に平行して、前記光ピックアップを前記駆動手段にて前記光ディスクの前記管理情報領域付近まで移動するように制御する制御手段を有することを特徴とする光ディスク装置。
【請求項２】
データを管理する管理情報が記録される管理情報領域を有する光ディスクに、光ピックアップにてレーザーを照射してデータを記録又は／及び再生する光ディスクの記録又は／及び再生方法であって、
前記光ディスクを装置外から装置内に搬送している間に平行して、前記光ピックアップを前記光ディスクの前記管理情報領域付近まで移動するようにしたことを特徴とする光ディスクの記録又は／及び再生方法。
【発明の詳細な説明】
【技術分野】
【０００１】
本発明は、光ディスク装置に関し、特に光ディスクの記録又は／及び再生方法における光ピックアップの移動に関するものである。
【背景技術】
【０００２】
近年、コンピュータをはじめ、音響・映像機器でも再生専用、記録・再生可能を含めてデータの記憶媒体として光ディスクを利用した光ディスク装置が利用されている。
【０００３】
このような光ディスクには、ユーザーが任意のデータを記録もしくは再生可能なユーザーデータ領域、及びディスクの種類の情報や欠陥管理情報が記録されているディスク管理情報領域が存在する。
【０００４】
図３は光ディスクにおけるディスク管理情報領域及びユーザーデータ領域を示した図である。光ディスク３１において、内周にディスク管理情報領域３２が存在し、その外周位置にユーザーデータ領域３３が存在する。
【０００５】
ディスク管理情報領域３２に記述されている情報は、ユーザーがユーザーデータ領域３３に任意のデータを記録もしくは再生するためには、予めこれらの情報を読み込む必要がある。
【０００６】
従って、光ディスクの記録時もしくは再生時には、ディスク管理情報領域３２に、まず光ピックアップのレーザー光を照射し、光ディスクの管理情報を読み込んだ後、光ディスクのユーザーデータ領域３３に対しデータの記録もしくは再生を行う。
【０００７】
かかる光ディスクを用いた従来の光ディスク装置を図４のブロック図にて説明する。光ディスク装置の構成は、光ディスク１、光ディスク１を装置外から装置内及び装置内から装置外に搬送する搬送手段２、光ディスク１を回転させるスピンドルモータ３、スピンドルモータ３を駆動するモータドライバ４、光ディスク１にレーザー光を照射してデータを記録又は／及び再生する光ピックアップ５、光ピックアップ５を光ディスク１の半径方向に移動するように駆動する光ピックアップ駆動モータ６、光ピックアップ駆動モータ６を駆動するモータドライバ７、上記搬送手段２、モータドライバ４、光ピックアップ５及びモータドライバ７を制御する制御手段８、光ピックアップ５の内周位置を検知する内周検知スイッチ９からなる。光ピックアップ駆動モータ６のシャフトには、螺旋状に溝が切られた送りねじ６ａが連結されており、光ピックアップ５はこの送りねじ６ａに噛み合うことにより移動する。以下、光ピックアップ駆動モータ６とモータドライバ７とを合わせて駆動手段と呼ぶこととする。
【０００８】
ユーザーがデータの記録もしくは再生を行うために、光ディスク１を装置に搬入するとき、制御手段８が搬送手段２を駆動して、光ディスク１の装置外から装置内への搬送を開始する。光ディスク１の装置外から装置内への搬送が完了すると、制御手段８はモータドライバ７を介して光ピックアップ駆動モータ６を駆動し、光ピックアップ５を内周方向に移動する。光ピックアップ５が内周検出スイッチ９に当接すると、制御手段８は光ピックアップ５がディスク管理情報領域付近に対応する最内周位置にあることを検知する。検知後、制御手段８は、モータドライバ４を介してスピンドルモータ３を駆動し、光ディスク１を回転させる。その後、光ピックアップ５のレーザー光を光ディスク１に照射し、データの記録もしくは再生を開始する。
【０００９】
また、光ディスク１を装置内から装置外へ取り出す時は、制御手段８が光ピックアップ５のレーザー光の照射を停止する。次に、制御手段８がモータドライバ４を介してスピンドルモータ３を停止する。そして、制御手段８が搬送手段２を駆動して、光ディスク１の装置内から装置外への搬送を開始する。光ディスク１の装置内から装置外への搬送が完了した時点で、光ディスク１の装置内から装置外への取り出し作業が完了する。
【００１０】
しかしながら、上記構成によれば、光ピックアップ５が移動してディスク管理情報領域３２にアクセスし、その後、記録もしくは再生を行うため、光ディスク搬入後データの記録もしくは再生までに時間がかかってしまうという課題があった。かかる課題の解決手段としては、特許文献１に記載のように、電源切断時及びディスク取り出し時に上記ピックアップの移動を図るものがあった。
【００１１】
特許文献１に開示の光ディスク装置における、電源切断時及びディスク取り出し時の動作手順は図５に示されるフローで実行される。図５において、上方から下方に従い時間の流れを示したものである。まず、ステップ５１において制御手段８によって光ピックアップ５の光ディスク１に対するレーザー光の照射が停止する。次に、ステップ５２において、制御手段８はモータドライバ４を介してスピンドルモータ３を停止する。そして、ステップ５３において、制御手段８はモータドライバ７を介して光ピックアップ駆動モータ６を駆動し、光ピックアップ５をディスク管理情報領域に対応する最内周位置まで移動する。その後、ステップ５４において、制御手段８は搬送手段２を駆動し、光ディスク１を装置内から装置外へ搬送する。そして、ステップ５５において光ディスク１の装置内から装置外への搬送が完了した時点で光ディスク１の取り出し作業が完了となる。
【００１２】
従って、次の電源投入時及びディスク搬入時には、すでに光ピックアップ５がディスク管理情報領域付近に対応する最内周位置まで移動しているため、光ディスク搬入からデータの記録もしくは再生までの時間が短縮される。
【特許文献１】特開２００２−７４６８９号公報
【発明の開示】
【発明が解決しようとする課題】
【００１３】
しかしながら、上記構成で示されるように、電源切断時及び光ディスクを取り出す際に光ピックアップを予め移動させると、電源切断時及びディスク取り出し時からディスクの搬入の間に装置が衝撃等を受けた場合に、衝撃の結果生じるディスク管理情報領域３２からのずれ分だけ光ピックアップ５を戻し、次の記録処理または再生処理のために備える必要があるが、電源切断時またはディスクを取り出した後のいずれも光ピックアップ駆動モータ（特許文献１の１０３）が動作しないため、特許文献１に記載の程効果は得られない。結果として、ディスク管理情報領域３２までのアクセスに余計に時間がかかるという課題を生じる。
【００１４】
本発明は、このような従来の課題を解決するもので、光ディスクの搬入からデータの記録もしくは再生までの時間を短縮することを目的とする。
【課題を解決するための手段】
【００１５】
本発明は、データを管理する管理情報が記録される管理情報領域を有する光ディスクに、レーザーを照射してデータを記録又は／及び再生する光ピックアップと、光ピックアップを光ディスクの半径方向へ駆動する駆動手段と、光ディスクを装置外から装置内、あるいは装置内から装置外へ搬送する搬送手段と、光ディスクを搬送手段にて装置外から装置内に搬送している間に平行して、光ピックアップを駆動手段にて光ディスクの管理情報領域付近まで移動するように制御する制御手段を有することを特徴とする。
【発明の効果】
【００１６】
本発明によれば、光ディスクを装置外から装置内に搬送している間に平行して光ピックアップをディスク管理情報領域付近まで移動させることにより、電源切断時及びディスク取り出し時に装置に衝撃等が加わったとしても、この衝撃に起因した光ピックアップの初期位置からの移動を是正することが出来、ディスク管理情報領域に対し正確なアクセスが可能となり、光ディスク搬入時からデータの記録もしくは再生までの時間を短縮させるという効果を奏する。
【発明を実施するための最良の形態】
【００１７】
本発明は、データを管理する管理情報が記録される管理情報領域を有する光ディスクに、レーザーを照射してデータを記録又は／及び再生する光ピックアップと、光ピックアップを光ディスクの半径方向へ駆動する駆動手段と、光ディスクを装置外から装置内、あるいは装置内から装置外へ搬送する搬送手段と、光ディスクを搬送手段にて装置外から装置内に搬送している間に平行して、前記光ピックアップを駆動手段にてディスク管理情報領域付近まで移動するように制御する制御手段を有する光ディスク装置である。
【００１８】
上記構成により、光ディスクを装置外から装置内に搬送している間に平行して前記光ピックアップをディスク管理情報領域付近まで移動するため、ディスク管理情報に対し正確かつ迅速なアクセスが可能となる。
【００１９】
また本発明は、データを管理する管理情報が記録される管理情報領域を有する光ディスクに、光ピックアップにてレーザーを照射してデータを記録又は／及び再生する光ディスクの記録又は／及び再生方法であって、光ディスクを装置外から装置内に搬送している間に平行して光ピックアップをディスク管理情報領域付近まで移動するようにした光ディスクの記録又は／及び再生方法である。
【００２０】
上記構成により、光ディスクを装置外から装置内に搬送している間に平行して前記光ピックアップをディスク管理情報領域付近まで移動するため、ディスク管理情報に対し正確かつ迅速なアクセスが可能となる。
【実施例】
【００２１】
以下、本発明の実施例について図１〜図３を用いて説明する。
【００２２】
図１は本発明における光ディスク装置の構成を示すブロック図である。従来例と変更のない部分については同様の符号を引用することとする。
【００２３】
図１においては、制御手段８の外部入力手段から光ディスクの搬入命令を受けた時の動作に変更を加え制御手段１０とし、制御手段１０は光ディスク１を装置外から装置内に搬送している間に平行して光ピックアップ５をディスク管理情報領域付近まで移動させる第２制御手段１２を備える。
【００２４】
本実施例の光ディスク装置における、光ディスク搬入時の動作手順は図２に示したフローで実行される。図２に示したフローチャートは、光ディスク１の装置外から装置内への搬送時におけるそれぞれの動作を示すものであり、図中上方から下方に向かって時間の流れを示している。まず、ステップ２１において、外部入力手段から搬入命令を受けた制御手段１０は搬送手段２を駆動し、光ディスク１の装置外から装置内への搬送を開始する。この動作と平行して、第２制御手段１２はモータドライバ７を介して光ピックアップ駆動モータ６を駆動し、光ピックアップ５を内周方向に移動し、光ピックアップ５をディスク管理情報領域３２に対応する位置まで移動させる。ここで、ディスク管理情報領域３２に対応する位置については、光ピックアップ５が内周検出スイッチ９に当接することで制御手段１０によって検出される。この時、光ピックアップ５は光ディスク１の装置外から装置内への搬送が完了する時までに、ディスク管理情報領域付近に到達しているのが望ましい。次に、ステップ２２において、制御手段１０はモータドライバ４を介してスピンドルモータ３を駆動させる。そして、ステップ２３において、光ピックアップ５によりレーザー照射を行いディスク管理情報領域３２のディスク管理情報の読み込みを行う。その後、ステップ２４において、ユーザデータ領域３３に対する記録もしくは再生を開始する。
【００２５】
上記構成により、図２に示すようにディスク搬入時から記録もしくは再生までの時間を短縮することができる。また、電源切断時及びディスク取り出し時からディスク再生までの間に装置が衝撃等を受けた場合、すなわち、光ピックアップ５が衝撃等を受けることによりディスク管理情報領域３２に対応する位置からずれ、その結果再生を迅速に処理するのに障害となる事態が生じた場合でも、その衝撃等に基づく移動を是正して光ピックアップ５のディスク管理情報領域３２までのアクセス時間を短縮することが可能となる。
【００２６】
なお、上記説明においては光ピックアップ５が最内周に位置することを検出する検出手段に内周検出スイッチ９を用いたが、スイッチの代わりにフォトインタラプタなどの光学センサや、ポテンションメータ、又はステッピングモータによる開ループ位置制御等を使用してもよい。
【００２７】
さらに、本実施例では外部入力手段から搬入命令を受けた場合を示したが、電源入力時及び再生操作時等、他の動作に連動して行われる搬入命令においても同様の効果が得られる。
【００２８】
また、上記説明においてはディスク管理情報領域３２は最内周位置にあるとしたが、光ディスクの他の領域にディスク管理情報領域が存在している場合でも、光ディスクを装置外から装置内に搬送している間に光ピックアップをディスク管理情報領域付近まで移動させることにより、搬入時から読み込みまでの時間を短縮することが可能である。
【産業上の利用可能性】
【００２９】
本発明の光ディスク装置は、光ディスクを搬入後すばやく記録もしくは再生が可能であり、動画や静止画や音声等の大容量データの記録や再生を行う機器に適用が可能である。
【図面の簡単な説明】
【００３０】
【図１】本発明の実施の形態における光ディスク装置のブロック図
【図２】本発明の実施の形態の光ディスク搬入時の動作手順を示すフローチャート
【図３】記録媒体の管理情報領域及びユーザデータ領域を示す略線図
【図４】従来例における光ディスク装置のブロック図
【図５】従来の光ディスク記録再生装置の光ディスク搬入時の動作手順を示すフローチャート
【符号の説明】
【００３１】
１    光ディスク
２    搬送手段
３    スピンドルモータ
４    モータドライバ
５    光ピックアップ
６    光ピックアップ駆動モータ
６ａ    送りねじ
７    モータドライバ
９    内周検出スイッチ
１０    制御手段
１２    第２制御手段
【図１】
2006216124.tif 000003
【図２】
2006216124.tif 000004
【図３】
2006216124.tif 000005
【図４】
2006216124.tif 000006
【図５】
2006216124.tif 000007